(57)【要約】【課題】  ケーブルへの取り付けが容易で、ケーブルの端末にコネクタと一体に固定できるフェライトコアホルダとフェライトコアの取り付け構造を提供する。【解決方法】電気・電子機器にコネクタを介して接続されるケーブルに電磁ノイズ対策用のフェライトコアを装着するフェライトコアホルダのホルダ本体１０が、ケーブル１００を挟むホルダ半割体１２，１２に形成され、各ホルダ半割体１２，１２，にはそれぞれ前記フェライトコアを収容するフェライトコア収容部１４が設けられ、これらフェライトコア収容部１４にケーブル１００を挟むように半割状に形成されたフェライトコア半割体２０，２０が収容され、このホルダ本体１０の一側には、前記ケーブルの端末に接続されたコネクタに係脱可能に係合されるコネクタ取付部３０が設けられている。【選択図】  図３
2007005751.tif 000002
【特許請求の範囲】
【請求項１】
電気・電子機器にコネクタを介して接続されるケーブルに電磁ノイズ対策用のフェライトコアを装着するフェライトコアホルダであって、ホルダ本体が前記ケーブルを挟むホルダ半割体に形成され、各ホルダ半割体にはそれぞれ前記電磁ノイズ対策用のフェライトコアを収容するフェライトコア収容部が設けられ、これらフェライトコア収容部にケーブルを挟むように半割状に形成されたフェライトコア半割体が収容され、このホルダ本体の一側には、前記ケーブルの端末に接続されたコネクタに係脱可能に係合されるコネクタ取付部が設けられていることを特徴とするフェライトコアホルダ。
【請求項２】
前記各半割体のフェライトコア収容部に収容されるフェライトコア半割体には１つのコネクタに接続された複数のケーブルを挟んで前記複数のケーブルの各々の表面に密着して包囲するようにケーブルの本数に見合った複数のケーブル収容溝を備えてなることを特徴とする請求項１記載のフェライトコアホルダ。
【請求項３】
前記各ホルダ半割体はヒンジを介して開閉可能に連結され一体的に形成されてなることを特徴とする請求項１又は請求項２記載のフェライトコアホルダ。
【請求項４】
前記ホルダ本体と前記コネクタ取付部とが別部材として構成され、該ホルダ本体と前記コネクタとを係脱可能に係合するコネクタ取付部材の一側には前記コネクタに係脱可能に係合されるコネクタ係合部を備え、該コネクタ取付部材の他側には前記ホルダ本体に設けられるコネクタ取付部材係止部に係脱可能に係止されるホルダ本体係止部を備えてなることを特徴とする請求項１乃至請求項３記載のフェライトコアホルダ。
【請求項５】
電気・電子機器にコネクタを介して接続されるケーブルに電磁ノイズ対策用のフェライトコアを装着するフェライトコアホルダのケーブルコネクタへの取り付け構造であって、
前記フェライトコアホルダが、前記ケーブルを挟むホルダ半割体のそれぞれにフェライトコア収容部を有し、このフェライトコア収容部にケーブルを挟むように半割状に形成されたフェライトコア半割体が収容され、このホルダ本体の一側に設けられるコネクタの取付部が前記ケーブルの端末に接続されたコネクタに係合されることにより一体的に取り付けられていることを特徴とするフェライトコア取り付け構造。
【請求項６】
電気・電子機器にコネクタを介して接続されるケーブルに電磁ノイズ対策用のフェライトコアを装着するフェライトコアホルダのケーブルコネクタへの取り付け構造であって、
前記フェライトコアホルダが、ホルダ本体とコネクタ取付部材とに別部材として構成され、前記ホルダ本体は前記ケーブルを挟むホルダ半割体のそれぞれにフェライトコア収容部を有し、このフェライトコア収容部にケーブルを挟むように半割状に形成されたフェライトコア半割体が収容され、前記コネクタ取付部材の一側に設けられるコネクタ係合部を前記コネクタに係脱自在に係合させ、前記コネクタ取付部材の他側に設けられるホルダ本体係止部が前記ホルダ本体に設けられるコネクタ取付部材係止部に係脱可能に係止されることにより一体的に取り付けられていることを特徴とするフェライトコア取り付け構造。
【発明の詳細な説明】
【技術分野】
【０００１】
本発明は、電気・電子機器にコネクタを介して接続されるケーブルにフェライトコアを取り付けるためのフェライトコアホルダに関し、更に詳しくはケーブルの端末部に接続されたコネクタと係合してそのケーブルから発せられる電磁ノイズを阻止するためのフェライトコアを取り付けるフェライトコアホルダ及びそのフェライトコアホルダのコネクタへの取り付け構造に関する。
【背景技術】
【０００２】
近年、車載用の機器は多様性を増し、高性能、多機能化が急速に進められてきており、これら個々の機器には電源用及び信号伝送用のケーブルがコネクタを介して接続されて、複数のケーブルがとりまとめられたワイヤハーネスの状態でエンジンルーム内を配索されている。従来から、これらのケーブルが、機器の金属筐体、内部基板から発生する比較的高周波のコモンモードノイズや、モータやファン等の電気機器のスイッチング動作により発生する比較的低周波のノーマルモードノイズを受けて、ケーブル自体がアンテナのような役割を果たして輻射ノイズを放射し、又はノイズを受信し、周辺機器の制御に悪影響を及ぼすことが知られている。
【０００３】
このようなノイズへの対策として、例えば図７に示されるような、円筒状のフェライトコア６０にケーブル１００を挿通し、更に１又は数ターン巻き付けて、輻射ノイズを抑制するという、特許文献１に記載されているような方法が知られている。
【０００４】
例えば、図８に示すように、温度等の周辺環境に応じてスイッチング制御される車載用モータ２００と電源供給用のバッテリ２２０をコネクタ１１０を介して接続する２本のケーブル１００，１００にフェライトコア６０，６０を装着するには、先ず図７（ａ）に示すように、フェライトコア６０にケーブル１００を挿通し、更に１又は数ターン巻き付けてから、図７（ｂ）に示すように折り曲げて、これにテープを巻き付けて被覆して固定するという方法を採っている。例えば２本のケーブル１００，１００にフェライトコア６０を装着するには、この作業を２回繰り返す必要がある。
【０００５】
このような取り付け方法では、ケーブル１００をフェライトコア６０に巻き付けたり、テープで固定する等の煩雑な工程を必要とし、作業性が悪い。また、ケーブル１００にコネクタ１１０を接続する前にフェライトコア６０をケーブル１００に固定しなくてはならないという制限がある。更に、ケーブル１００の中間部位にフェライトコア６０が固定されることとなり、周辺の機器やケーブルとの配置の関係で配線に不具合が生じる等の問題がある。
【０００６】
そこで、このような電磁ノイズ対策用フェライトコアをケーブルに装着する方法として、例えば特許文献２に示されるように、前記円筒形のフェライトコアを分割して半円筒状に形成し、一対の半円筒状のフェライトコアでケーブルを挟んで装着する方法がある。
【０００７】
しかし、フェライトコア６０がケーブル１００に装着されるのみで、他に固定手段を持たないと、フェライトコア６０の重さによって、ケーブル１００とコネクタ１１０との接続部分に荷重がかかり、極端な場合にはケーブル１００とコネクタ１１０間の接触不良を引き起こす原因となる場合もある。また、特に車載用のケーブルにフェライトコアを装着する際には、取り付け当初は良好な装着状態であったとしても、その使用の過程で振動、衝撃等により脱落してしまう等の問題があった。
【０００８】
【特許文献１】特開２００２−３４３６２０号公報
【特許文献２】特開２０００−３０６７３５号公報
【発明の開示】
【発明が解決しようとする課題】
【０００９】
そこで本発明の解決しようとする課題は、電気・電子機器にコネクタを介して接続されるケーブルへの装着が容易で、しかもケーブルの端末にコネクタと一体に固定できて、そのノイズ除去作用を効果的に発揮させるフェライトコアホルダおよびそのフェライトコアの取り付け構造を提供することにある。
【課題を解決するための手段】
【００１０】
上記課題を解決するために、本発明の請求項１に係るフェライトコアホルダは、電気・電子機器にコネクタを介して接続されるケーブルに電磁ノイズ対策用のフェライトコアを装着するフェライトコアホルダであって、ホルダ本体が前記ケーブルを挟むホルダ半割体に形成され、各ホルダ半割体にはそれぞれ前記電磁ノイズ対策用のフェライトコアを収容するフェライトコア収容部が設けられ、これらフェライトコア収容部にケーブルを挟むように半割状に形成されたフェライトコア半割体が収容され、このホルダ本体の一側には、前記ケーブルの端末に接続されたコネクタに係脱可能に係合されるコネクタ取付部材が設けられていることを要旨とするものである。
【００１１】
また、本発明の請求項２記載のフェライトコアホルダは、請求項１記載のフェライトコアホルダの、前記各半割体のフェライトコア収容部に収容されるフェライトコア半割体には１つのコネクタに接続された複数のケーブルを挟んで前記複数のケーブルの各々の表面に密着して包囲するようにケーブルの本数に見合った複数のケーブル収容溝を備えてなることを要旨とするものである。
【００１２】
また、請求項３記載のフェライトコアホルダは、請求項１又は請求項２記載のフェライトコアホルダの、前記各ホルダ半割体はヒンジを介して開閉可能に連結され一体的に形成されてなることを要旨とするものである。
【００１３】
また、前記ホルダ本体と前記コネクタ取付部とが別部材として構成され、該ホルダ本体と前記コネクタとを係脱可能に係合するコネクタ取付部材の一側には前記コネクタに係脱可能に係合されるコネクタ係合部を備え、該コネクタ取付部材の他側には前記ホルダ本体に設けられる係止部に係脱可能に係止されるホルダ本体係止部を備えるようにしても良い。
【００１４】
更に、本発明にかかるフェライトコアの取り付け構造は、電気・電子機器にコネクタを介して接続されるケーブルに電磁ノイズ対策用のフェライトコアを装着するフェライトコアホルダのケーブルコネクタへの取り付け構造であって、前記フェライトコアホルダが、前記ケーブルを挟むホルダ半割体のそれぞれにフェライトコア収容部を有し、このフェライトコア収容部にケーブルを挟むように半割状に形成されたフェライトコア半割体が収容され、このホルダ本体の一側に設けられるコネクタの取付部が前記ケーブルの端末に接続されたコネクタに係合されることにより一体的に取り付けられていることを要旨とするものである。
【００１５】
また、本発明の別の形態としてのフェライトコアホルダの取付構造は、前記フェライトコアホルダが、ホルダ本体とコネクタ取付部材とに別部材として構成され、前記ホルダ本体は前記ケーブルを挟むホルダ半割体のそれぞれにフェライトコア収容部を有し、このフェライトコア収容部にケーブルを挟むように半割状に形成されたフェライトコア半割体が収容され、前記コネクタ取付部材の一側に設けられるコネクタ係合部を前記コネクタに係脱自在に係合させ、前記コネクタ取付部材の他側に設けられるホルダ本体係止部が前記ホルダ本体に設けられるコネクタ取付部材係止部に係脱可能に係止されることにより一体的に取り付けられていることを要旨とするものである。
【発明の効果】
【００１６】
上記請求項１に記載されるフェライトコアホルダによれば、電気・電子機器にコネクタを介して接続されるケーブルに電磁ノイズ対策用のフェライトコアを装着するに際して、ホルダ本体の各ホルダ半割体に形成されるフェライトコア収容部に、ケーブルを挟むように装着される半割体のフェライトコア半割体を収容し、各ホルダ半割体でケーブルを挟み込み、次いでホルダ本体の一側に設けられるコネクタ取り付け部を介してケーブル端末に接続されたコネクタに係止固定される。そのため、ホルダ本体に収容されたフェライトコアはケーブルをその表面に密着して包囲しているので、ケーブルとフェライトコアの間の隙間がないだけでなく、ケーブル端末のコネクタを介して接続された電気・電子機器に最も近い位置にフェライトコアを固定することができる。従って、フェライトコアのノイズ除去作用を最大限に発揮することができ、機器から発生するノイズを効率良く除去することができる。
【００１７】
また、請求項２に記載の発明によれば、このフェライトコアホルダを複数のケーブルに一度に装着できるようになっているので、その取り付け作業が容易になり、組み付け作業性が良い。
【００１８】
また、請求項３に記載の発明のように、前記ホルダ本体各ホルダ半割体同士がヒンジを介しての一辺が連結されて一体的に形成されれば、部品点数を減らすことができるだけでなく、その取り付けも容易になる。
【００１９】
また、前記ホルダ本体と前記コネクタ取付部とを別部材で構成するようにすれば、コネクタ取付部材をホルダ本体とコネクタとの間の連結部材として、その一側に備えられるコネクタ係合部を前記コネクタに係合させ、他側に設けられるホルダ本体係止部をホルダ本体のコネクタ取付部材係止部に係脱自在に係止させることで一体化できる。この場合には、異なる形状を有するコネクタに対して、コネクタ取付部材を交換するだけでホルダ本体を取り付けることができる。つまり、様々な形状を有する各コネクタに対応するコネクタ取付部材のみ各種用意すれば良く、ホルダ本体に汎用性を持たせることができる。
【００２０】
請求項５に記載のフェライトコアの取り付け構造によれば、電磁ノイズ対策用のフェライトコアを、ケーブルの端末に接続されたコネクタに一体的に固定可能で、半割体のフェライトコアが機器の最も近くに、ケーブルに密着して取り付け可能となっている。従って、ノイズフィルタとして高い効果を発揮することができる。また、フェライトコアのケーブルへの取り付けに際して、挿通、巻き付け、テープ固定等の面倒な作業を必要とせず、ケーブルをコネクタに接続した後でもフェライトコアを取り付けることができるので、機器の動作試験後でも必要に応じてフェライトコアをケーブルに簡単に装着することができる。また、フェライトコアホルダがコネクタと一体的に固定されているので、振動、衝撃等の影響を受けにくく、良好な装着状態が保たれる。
【００２１】
また、前記フェライトコアホルダがホルダ本体とコネクタ取付部材との別部材として構成されるフェライトコアの取付構造によれば、連結部材であるコネクタ取付部材を介してホルダ本体をコネクタに取り付けて、フェライトコアをケーブルに装着することができる。これにより、コネクタの形状に応じてフェライトコアホルダ全体を交換する必要が無く、コネクタ取付部材のみを交換すればフェライトコアをケーブルに装着することができる。従って、フェライトコアの装着が、非常に容易に又確実に行えるようになる。更に、このようなフェライトコアの取付構造によれば、フェライトコアを機器の最も近くに設けられるコネクタに一体的に取り付けて、電磁ノイズの除去を非常に効率良く行える。
【発明を実施するための最良の形態】
【００２２】
以下に本発明の実施の形態について図１〜６を参照して詳細に説明する。図１（ａ）は本発明の第１の実施形態で、フェライトコアホルダ１の分解斜視図である。図１（ｂ）はこのフェライトコアホルダ１のホルダ本体１０のＡ−Ａ断面図である。
【００２３】
このフェライトコアホルダ１に収容されるフェライトコア半割体２０，２０は、酸化亜鉛、酸化ニッケル、酸化マンガン、酸化鉄等の酸化金属の粉体を混合して成形して焼成した一般的に知られているフェライト材であり、例えば２本並んだケーブルを挟んでケーブル表面に密着して包囲するように、その対向する突き合わせ面２６には半円柱状のケーブル収容溝２２，２２が形成されている。そしてこのケーブル収容溝２２，２２の間には切り欠２４が形成されており、ホルダ本体１０のフェライトコア収容部１４内に設けられたフェライトコア係合片１４Ｃと係合して、半割体のフェライトコア２０がフェライトコア収容部１４から抜落するのが防がれる。
【００２４】
このフェライトコア半割体２０，２０としては、例えば低帯域の周波数のノイズ除去効果の高いＭｎ−Ｚｎ系のフェライト材や、高帯域の周波数のノイズ除去効果の高いＮｉ−Ｚｎ系のものなど、除去したいノイズの周波数帯に応じて適宜選択することが可能である。また、ホルダ本体の各ホルダ半割体１２，１２の一方にはＭｎ−Ｚｎ系のフェライトコアを、他方にはＮｉ−Ｚｎ系のものを用いて、低周波数帯域から高周波数帯域まで広帯域のノイズ周波数に対応したものとすることも可能である。
【００２５】
フェライトコアホルダ１は合成樹脂材料により一体に形成されており、フェライトコア半割体２０を収容するフェライトコア収容部１４を備えたホルダ本体１０を半割体に形成したホルダ半割体１２，１２と、ケーブルに接続されたコネクタに係脱可能に係合するコネクタ取付部３０と、このコネクタとフェライトコアホルダ１の係合をガイドする取付補助片３２，３２とを備えている。
【００２６】
このフェライトコアホルダ１は、前記フェライトコア半割体２０を収容するフェライトコア収容部１４が形成されたホルダ半割体１２、１２が、ヒンジ１６で連結されて開閉可能に形成されている。このフェライトコア収容部１４内には、前記フェライトコア２０を係止するためのフェライトコア係止片１４ｃが可撓性の薄壁１４ｂの先端に形成されている。また、フェライトコア収容部１４の底壁には、その一部が内側に切り立てられており、同じく可撓性の押圧片１４ａが形成されている。この押圧片１４ａは、フェライトコア半割体２０，２０がケーブルを挟んで包囲する際に、その突き合わせ面２６同士および、ケーブル表面とケーブル収容溝２２の間に隙間が生じないように、フェライトコア半割体２０，２０を押さえつけるように作用する。
【００２７】
このホルダ半割体１２，１２のヒンジ１６，１６によって連結されていない側の辺には互いに嵌合してホルダ半割体１２，１２を閉じた状態で固定するための嵌合突起１２ｃと嵌合爪１２ｂがそれぞれ対応する位置に設けられている。
【００２８】
また、フェライトコア半割体２０、２０のケーブル収容溝２２，２２に対応する位置には同じく半円状のケーブル挿通用切欠き１２ａ，１２ａが設けられて、ホルダ本体１２，１２が互いに重なり合って固定された際に、ケーブルがフェライトコア半割体２０，２０内を挿通するようにになっている。
【００２９】
さらに、この対をなすホルダ半割体１２，１２の一方には、その一側に、コネクタ取付部３０が形成されている。このコネクタ取付部３０は、コネクタ係合片３４と、取付補助片３２，３２からなる。ホルダ半割体１２の一側には、図３に示すケーブル１００に接続されたコネクタ１１０の側面外壁に沿うように形成された取付補助片３２，３２が互いに対向して形成されており、このコネクタ１１０とフェライトコアホルダ１との係合をガイドして、フェライトコアホルダ１のコネクタ１１０への固定を補助する。そして、このホルダ半割体１２の取付補助片３２，３２の形成された面の中央下方には、前記コネクタ１１０と係合して、フェライトコアホルダ１をケーブル１００端末にコネクタ１１０と一体的に固定するためのコネクタ係合片３４が延設されている。このコネクタ係合片３４は可撓性のコネクタ係合片支持部３４ａの先端に設けられ、コネクタ１１０の背面において上部のロックアーム１１０ａと対向する下部に突設されているコネクタ１１０の引き抜き用の引掛片１３０に係止可能とされている。
【００３０】
前記フェライトコア収容部１４内にフェライトコア２０を嵌着した状態を図２に示す。フェライトコア半割体２０，２０は、ホルダ半割体１２，１２の外壁の端面よりも、若干上方に突出して、フェライトコア収容部１４，１４に収容されており、ホルダ半割体１２，１２が閉じた状態で重なり合って固定されたときに、ケーブルとより密着しやすい構造となっている。
【００３１】
図３（ａ）〜（ｃ）に、このフェライトコアホルダ１をコネクタ１１０に接続された２本のケーブル１００，１００に装着する様子を示す。図４にこのフェライトコアホルダ１とコネクタ１１０の係合部分のＢ−Ｂ断面矢視図を示す。
【００３２】
まず、図３（ａ）に示すように、一方のホルダ半割体１２に収容されたフェライトコア半割体２０のケーブル収容溝２２，２２に、コネクタ１１０に接続されたケーブル１００，１００を載置し、他方のホルダ本体１２をヒンジ１６を介して回転させて、ホルダ半割体１２，１２を閉じて、嵌合爪１２ｂと嵌合突起１２ｃを嵌合させて固定する。
【００３３】
このようにしてケーブル１００，１００に装着されたフェライトコアホルダ１を、図３（ｂ）に示すように、コネクタ１１０の方向へ摺動させると、先ず、コネクタ取付部３０の取付補助片３２，３２がコネクタ１１０の側面外壁１３２の位置に達する。この時、ホルダ半割体１２の一側に設けられた係止補助片３２，３２はコネクタ１１０の側面１３２，１３２と擦り合うように形成されているのでフェライトコアホルダ１を、コネクタ１１０との正しい係止位置にガイドすることができる。
【００３４】
さらに、フェライトコアホルダ１をコネクタ１１０方向に摺動すると、コネクタ１１０の端面下部に形成されている引掛片１３０が、ホルダ本体１２の前記一側から延設されているコネクタ係合片３４に当接する。そして、可撓性のコネクタ係合片支持部３４ａを下方に押圧して撓ませて、コネクタ係止片３４の上方を通過する。
【００３５】
そして、図３（ｃ）に示すように、コネクタ１１０の端面とホルダ本体１２の端面が当接する位置に達すると、前記コネクタ係合片支持部３４ａは元の位置まで復帰し、その先端に形成されたコネクタ係合片３４が、前記引掛片１３０に当接してフェライトコアホルダ１のコネクタ１１０から離れる方向への移動を規制し、フェライトコアホルダ１をコネクタ１１０に固定している。この時、フェライトコアホルダ１の係止補助片３２，３２は、フェライトコアホルダ１がコネクタ１１０に係止した状態では、このフェライトコアホルダ１の横方向や斜め方向への移動を規制し、フェライトコアホルダ１がコネクタ１１０から外れるのを防ぐ。
【００３６】
図５は、本発明に係る第２の実施形態のフェライトコアホルダ２を斜視図で示したものである。第１の実施形態ではヒンジ１６を介して連結されて一体に形成されていたホルダ半割体１２，１２が、本実施形態では分割されて別体に形成されている。そして、この対をなすホルダ半割体１２，２１が重なり合って固定される突き合わせ面の周縁には２対の嵌合爪１２ｂと嵌合突起１２ｃが備えられている。これらが互いに係合してフェライトコア半割体２０，２０でケーブルを挟んで固定し、ケーブルに装着することができる。このように、ホルダ半割体１２，１２を別体に形成すれば、例えばこのフェライトコアホルダ２をケーブルに取り付ける際に、スペースに制限があって、前記ホルダ本体１２を回転させて開閉させることができないときにも、真上から対をなす半割体のホルダ本体１２，１２を係合させることができる。
【００３７】
図６（ａ）及び図６（ｂ）は、本発明に係る第３の実施形態のフェライトコアホルダ３をコネクタ１１０に接続されたケーブル１００，１００に装着する過程を示した斜視図である。
【００３８】
図６（ａ）に示されるように、このフェライトコアホルダ３は、ホルダ本体１０ｂとコネクタ取付部材３０ａとが別部材として構成されている。
【００３９】
ホルダ本体１０ｂは、フェライトコア半割体を収容するホルダ半割体１２，１２から形成されており、これらフェライトコア半割体及びホルダ半割体１２，１２は前記第１又は第２の実施形態とほぼ同様の構成を備えている。これら対をなすホルダ半割体１２，１２のうちいずれか一方の外壁の両側面には、コネクタ取付部材係止ボス１８，１８が設けられている。このホルダ半割体１２，１２が、ケーブル１００，１００を挟んで互いに係合しコネクタ１１０に接続されたケーブル１００，１００に装着されている。
【００４０】
一方、このホルダ本体１０ｂとコネクタ１１０との間にはコネクタ取付部材３０ａが配置される。このコネクタ取付部材３０ａは、その一側にコネクタ１１０と係合するコネクタ係合部３０ｂを備え、他側にホルダ本体１０ｂと係合するホルダ本体係止部３０ｃを備えている。
【００４１】
コネクタ取付部材３０ａは、コネクタ１１０に設けられる引掛片１３０と係合するコネクタ係合孔３４ａと、取付補助面３２ａ，３２ａとからなる。このコネクタ係合孔３４ａは、コネクタ１１０に突設されているコネクタ１１０の引き抜き用の引掛片１３０と係合する位置に設けられている。また、取付補助面３２ａ，３２ａは、コネクタ１１０の側面外壁に沿うように形成されており、コネクタ１１０とコネクタ取付部材３０ａとの係合をガイドして、係合後はコネクタ取付部材３０ａのコネクタ１１０への固定を補助する。
【００４２】
更に、コネクタ取付部材３０ａのホルダ係合部３０ｃは、コネクタ係合部３０ｂから延設された突出部の先端に設けられたボス穴３８，３８を備えている。この突出部はホルダ本体１０ｂの幅とほぼ同じ間隔で互いに対向して設けられており、その先端に設けられたボス穴３８，３８は、ホルダ本体１０ｂのコネクタ取付部材係止ボス１８，１８と係合する。
【００４３】
図６（ｂ）に示すように、これらホルダ本体１０ｂとコネクタ取付部材３０ａをコネクタ１１０の方向に摺動させることで、コネクタ取付部材３０ａは取付補助面３２ａ，３２ａにガイドされて、コネクタ１１０の引掛片１３０とコネクタ取付部材３０ａのコネクタ係合孔３４ａとが係合する。更に、ホルダ本体１０ｂが備えるコネクタ取付部材係止ボス１８，１８とコネクタ取付部３０ｂが備えるボス穴３８，３８とが係合する。これにより、コネクタ取付部材３０ａとコネクタ１１０とが一体的に係止され、更にコネクタ取付部材３０ａとホルダ本体１０ｂとが一体的に係止される。このようにして、コネクタ１１０とホルダ本体１０ｂが係止されてコネクタ１１０に装着されたケーブル１００，１００に、ホルダ本体１０ｂ内に備えられたフェライトコアが一体的に容易に装着される。
【００４４】
以上説明したように、本発明に係るフェライトコアホルダは、ケーブルの端末に接続されたコネクタに固定可能で、半割体のフェライトコアが機器の最も近くに、ケーブルに密着して取り付け可能となっているので、ノイズフィルタとして高い効果を発揮することができる。また、フェライトコアのケーブルへの取り付けに際して、挿通、巻き付け、テープ固定等の面倒な作業を必要とせず、ケーブルをコネクタに接続した後でもフェライトコアを取り付けることができるので、機器の動作試験後でも必要に応じてフェライトコアをケーブルに簡単に装着することができる。
【００４５】
以上、本発明の実施の形態について詳細に説明したが、本発明は上記実施の形態に何ら限定されるものではなく、本発明の要旨を逸脱しない範囲で種々の改変が可能である。例えば、本実施形態では、２本のケーブルが並んで配置された場合の例を示したが、ケーブルの本数は１本でも、２本以上でも良い。
【００４６】
また、本発明に係るフェライトコアホルダは、モータ等の電源コネクタに接続されるケーブルだけでなく、差動電線等の信号線にも取り付けることができ、また車載用のケーブルだけに限らず、その他にもコネクタに接続されたケーブルであれば好適に用いることができる。
【産業上の利用可能性】
【００４７】
本発明に係るフェライトコアホルダは、ケーブルの端末に接続されたコネクタに固定可能でかつ取付が非常に容易なフェライトコアホルダとして、例えば、自動車用ワイヤハーネス等に好適に利用することができる。  
【図面の簡単な説明】
【００４８】
【図１】（ａ）は本発明の第１の実施形態で、フェライトコアホルダの分解斜視図である。（ｂ）はこのフェライトコアホルダのホルダ本体のＡ−Ａ断面図である。
【図２】図１に示したフェライトコアホルダにフェライトコアを嵌着した状態の斜視図である。
【図３】（ａ）〜（ｃ）は、前記フェライトコアホルダをコネクタに接続されたケーブルに装着する過程を示した斜視図である。
【図４】互いに係合したフェライトコアホルダの係合片とコネクタの係合部分のＢ−Ｂ断面矢視図である。
【図５】本発明に係る第２の実施形態のフェライトコアホルダの斜視図である。
【図６】本発明に係る第３の実施形態のフェライトコアホルダをコネクタに接続されたケーブルに装着する過程を示した斜視図である。
【図７】（ａ），（ｂ）従来のフェライトコアのケーブルへの取り付け方法を示す図である。
【図８】従来のフェライトコアを車載用モータと電源供給用のバッテリを接続する２本のケーブルに装着した模式図である。
【符号の説明】
【００４９】
１，２，３  フェライトコアホルダ
１０，２０，３０  ホルダ本体
１２，１２  ホルダ半割体
１２ｂ  嵌合爪
１２ｃ  嵌合突起
１４  フェライトコア収容部
１６  ヒンジ
１８  コネクタ取付部材係止ボス
２０  フェライトコア
３０  コネクタ取付部
３０ａ  コネクタ取付部材
３２，３２ａ  取付補助片
３４  コネクタ係止合片
３４ａ  コネクタ係合孔
３８  ボス穴
１００  ケーブル
１１０  コネクタ
１３０  引掛片
【図１】
2007005751.tif 000003
【図２】
2007005751.tif 000004
【図３】
2007005751.tif 000005
【図４】
2007005751.tif 000006
【図５】
2007005751.tif 000007
【図６】
2007005751.tif 000008
【図７】
2007005751.tif 000009
【図８】
2007005751.tif 000010